(57)【要約】【課題】端子台カバーを取り外すことなく外部機器と通信することができるガスメータの通信用端子装置の接続構造を提供すること。【解決手段】ケース３には端子台４を収容する収容部７が形成され、側壁１２の一部には切欠部１２ａが形成され、側壁１２の切欠部１２ａには収容部７を密閉するパッキン１４が設けられ、ケース３には収容部７から隔壁１５が突設され、隔壁１５の一部には切欠部１５ａが形成され、通信用端子装置３０は、通信用端子５，６に接続されるリード線３１，３２と、リード線３１，３２に接続された金属端子４２，４３とを備え、端子台カバー１０は複数の切欠部１０ａが形成され、リード線３１，３２は、パッキン１４を貫通し、隔壁１５の切欠部１５ａから、端子台カバー１０がケース３に取り付けられたときに端子台カバー１０の切欠部１０ａを通して外部に引き出され、金属端子４２，４３が端子台カバー１０の外部に露出されている。【選択図】図９
2008249740.tif 000002
【特許請求の範囲】
【請求項１】
外部機器を接続するための通信用端子を含む端子台と、該端子台を覆うようにケースに取り付けられる端子台カバーを備えたガスメータで用いられる通信用端子装置の接続構造であって、
前記ケースには、突設する側壁で周囲が囲まれ、前記端子台を収容する収容部が形成され、
前記側壁の一部には切欠部が形成され、
前記側壁の切欠部には、前記端子台カバーが前記ケースに取り付けられたときに前記収容部を密閉するパッキンが設けられ、
前記ケースには、前記収容部から所定間隔をおいて隔壁が突設され、
前記隔壁の一部には切欠部が形成され、
前記通信用端子装置は、一方の端部が前記通信用端子に接続されるリード線と、前記リード線の他方の端部に接続された金属端子とを備え、
前記端子台カバーは、その外周端部に複数の切欠部が形成され、
前記リード線は、前記パッキンを貫通し、前記隔壁の前記切欠部から、前記端子台カバーが前記ケースに取り付けられたときに前記端子台カバーの前記切欠部を通して外部に引き出され、前記金属端子が前記端子台カバーの外部に露出されている
ことを特徴とするガスメータの通信用端子装置の接続構造。
【請求項２】
外部機器を接続するための通信用端子を含む端子台と、該端子台を覆うようにケースに取り付けられる端子台カバーを備えたガスメータで用いられる通信用端子装置の接続構造であって、
前記ケースには、突設する側壁で周囲が囲まれ、前記端子台を収容する収容部が形成され、
前記側壁の一部には切欠部が形成され、
前記側壁の切欠部には、前記端子台カバーが前記ケースに取り付けられたときに前記収容部を密閉するパッキンが設けられ、
前記ケースには、前記収容部から所定間隔をおいて隔壁が突設され、
前記隔壁の一部には切欠部が形成され、
前記通信用端子装置は、一方の端部が前記通信用端子に接続されるリード線と、前記リード線の他方の端部に接続されたコネクタとを備え、
前記端子台カバーは、その外周端部に複数の切欠部が形成され、
前記リード線は、前記パッキンを貫通し、前記隔壁の前記切欠部から、前記端子台カバーが前記ケースに取り付けられたときに前記端子台カバーの前記切欠部を通して外部に引き出され、前記コネクタが前記端子台カバーの外部に露出されている
ことを特徴とするガスメータの通信用端子装置の接続構造。
【請求項３】
外部機器を接続するための通信用端子を含む端子台と、該端子台を覆うようにケースに取り付けられる端子台カバーを備えたガスメータで用いられる通信用端子装置の接続構造であって、
前記ケースには、突設する側壁で周囲が囲まれ、前記端子台を収容する収容部が形成され、
前記側壁の一部には切欠部が形成され、
前記側壁の切欠部には、前記端子台カバーが前記ケースに取り付けられたときに前記収容部を密閉するパッキンが設けられ、
前記通信用端子装置は、リード線と金属端子を備え、
前記リード線は、一方の端部が前記通信用端子に接続されると共に、前記パッキンを貫通しており、
前記金属端子は、前記端子台カバーが前記ケースに取り付けられたとき、その一部が前記端子台カバーの外部に露出するように前記ケースに固定され、前記リード線の他方の端部が接続されている
ことを特徴とするガスメータの通信用端子装置の接続構造。
【発明の詳細な説明】
【技術分野】
【０００１】
本発明は、ガスメータの通信用端子装置の接続構造に関するものである。
【背景技術】
【０００２】
従来、ガスメータは、外部機器として設定器を使用してその諸機能を部分的に停止したり選択したりして設定することができる。
【０００３】
図１２は、従来のガスメータにおける設定器の接続方法の一例を説明する概略斜視図である。ガスメータ１は、その上ケース２および下ケース３内にガスの流路および流量計測部を内蔵しているが、ここでは図示していない。また、ガスメータ１は、下ケース３の一部に、突設する側壁１２，１７，１８で周囲が囲まれた収容部７を形成し、この収容部７に設定器等の外部機器を接続するための通信用端子５，６を含む端子台４を収容している。また、ガスメータ１は、この端子台４を覆う端子台カバー１０を備えており、この端子台カバー１０は、ネジ１１を下ケース３に形成されたボス９のネジ穴９ａに締め込むことにより固定されている。
【０００４】
そこで、まず、端子台４を覆っている端子台カバー１０のネジ１１をゆるめて、下ケース３から端子台カバー１０を取り外す。そして、設定器２０から延出したリード線２１の先端に設けられているわに口クリップ２２，２３をそれぞれ端子台４の通信用端子５，６に挟む。それにより、設定器２０からガスメータ１の諸機能の設定を行うための設定データを、通信用端子５，６を介してガスメータ１に通信することができる。
【発明の開示】
【発明が解決しようとする課題】
【０００５】
しかしながら、上述の設定器の接続方法では、設定器２０を使ってガスメータ１と通信を行いたいときには、必ず毎回端子台カバー１０を下ケース３から取り外して、設定器２０と端子台４の通信用端子５，６を接続しなければならない。そのため、設定器２０を使用するときは、毎回、端子台カバー１０を開けるときにはネジ１１をゆるめ、閉めるときにはネジ１１を締める必要があり、不便である。
【０００６】
また、毎月のガスメータ検針時に、ガス流量区分によってどのくらいのガスを消費しているかを確認する場合には、ガスメータ１に記録されているガス使用データを取り出す際に、同様に通信用端子５，６を使用するために、毎回端子台カバー１０の取り外しを行う必要があり、手間がかかる。
【０００７】
また、ガスメータ１の設置場所によっては、この取り外し作業がやりにくく、効率が非常に悪くなることが考えられる。
【０００８】
よって本発明は、上述した従来の問題点に鑑み、端子台カバーを取り外すことなく外部機器と通信することができるガスメータの通信用端子装置の接続構造を提供することを目的としている。
【課題を解決するための手段】
【０００９】
上記課題を解決するためになされた請求項１記載の発明は、外部機器を接続するための通信用端子を含む端子台と、該端子台を覆うようにケースに取り付けられる端子台カバーを備えたガスメータで用いられる通信用端子装置の接続構造であって、前記ケースには、突設する側壁で周囲が囲まれ、前記端子台を収容する収容部が形成され、前記側壁の一部には切欠部が形成され、前記側壁の切欠部には、前記端子台カバーが前記ケースに取り付けられたときに前記収容部を密閉するパッキンが設けられ、前記ケースには、前記収容部から所定間隔をおいて隔壁が突設され、前記隔壁の一部には切欠部が形成され、前記通信用端子装置は、一方の端部が前記通信用端子に接続されるリード線と、前記リード線の他方の端部に接続された金属端子とを備え、前記端子台カバーは、その外周端部に複数の切欠部が形成され、前記リード線は、前記パッキンを貫通し、前記隔壁の前記切欠部から、前記端子台カバーが前記ケースに取り付けられたときの前記端子台カバーの前記切欠部を通して外部に引き出され、前記金属端子が前記端子台カバーの外部に露出されていることを特徴とするガスメータの通信用端子装置の接続構造に存する。
【００１０】
請求項１記載の発明によれば、外部機器を接続するための通信用端子を含む端子台と、該端子台を覆うようにケースに取り付けられる端子台カバーを備えたガスメータで用いられる通信用端子装置の接続構造であって、ケースには、突設する側壁で周囲が囲まれ、端子台を収容する収容部が形成され、側壁の一部には切欠部が形成され、側壁の切欠部には、端子台カバーがケースに取り付けられたときに収容部を密閉するパッキンが設けられ、ケースには、収容部から所定間隔をおいて隔壁が突設され、隔壁の一部には切欠部が形成され、通信用端子装置は、一方の端部が通信用端子に接続されるリード線と、リード線の他方の端部に接続された金属端子とを備え、端子台カバーは、その外周端部に複数の切欠部が形成され、リード線は、パッキンを貫通し、隔壁の切欠部から、端子台カバーがケースに取り付けられたときに端子台カバーの切欠部を通して外部に引き出され、金属端子が端子台カバーの外部に露出されているので、端子台カバーを取り外すことなく設定器等の外部機器をガスメータと接続することができる。
【００１１】
上記課題を解決するためになされた請求項２記載の発明は、外部機器を接続するための通信用端子を含む端子台と、該端子台を覆うようにケースに取り付けられる端子台カバーを備えたガスメータで用いられる通信用端子装置の接続構造であって、前記ケースには、突設する側壁で周囲が囲まれ、前記端子台を収容する収容部が形成され、前記側壁の一部には切欠部が形成され、前記側壁の切欠部には、前記端子台カバーが前記ケースに取り付けられたときに前記収容部を密閉するパッキンが設けられ、前記ケースには、前記収容部から所定間隔をおいて隔壁が突設され、前記隔壁の一部には切欠部が形成され、前記通信用端子装置は、一方の端部が前記通信用端子に接続されるリード線と、前記リード線の他方の端部に接続されたコネクタとを備え、前記端子台カバーは、その外周端部に複数の切欠部が形成され、前記リード線は、前記パッキン１４を貫通し、前記隔壁の前記切欠部から、前記端子台カバーが前記ケースに取り付けられたときに前記端子台カバーの前記切欠部を通して外部に引き出され、前記コネクタが前記端子台カバーの外部に露出されていることを特徴とするガスメータの通信用端子装置の接続構造に存する。
【００１２】
請求項２記載の発明によれば、外部機器を接続するための通信用端子を含む端子台と、該端子台を覆うようにケースに取り付けられる端子台カバーを備えたガスメータで用いられる通信用端子装置の接続構造であって、ケースには、突設する側壁で周囲が囲まれ、端子台を収容する収容部が形成され、側壁の一部には切欠部が形成され、側壁の切欠部には、端子台カバーがケースに取り付けられたときに収容部を密閉するパッキンが設けられ、ケースには、収容部から所定間隔をおいて隔壁が突設され、隔壁の一部には切欠部が形成され、通信用端子装置は、一方の端部が通信用端子に接続されるリード線と、リード線の他方の端部に接続されたコネクタとを備え、端子台カバーは、その外周端部に複数の切欠
部が形成され、リード線は、前記パッキンを貫通し、隔壁の切欠部から、端子台カバーがケースに取り付けられたときに端子台カバーの切欠部を通して外部に引き出され、コネクタが端子台カバーの外部に露出されているので、端子台カバーを取り外すことなく設定器等の外部機器をガスメータと接続することができる。
【００１３】
上記課題を解決するためになされた請求項３記載の発明は、外部機器を接続するための通信用端子を含む端子台と、該端子台を覆うようにケースに取り付けられる端子台カバーを備えたガスメータで用いられる通信用端子装置の接続構造であって、前記ケースには、突設する側壁で周囲が囲まれ、前記端子台を収容する収容部が形成され、前記側壁の一部には切欠部が形成され、前記側壁の切欠部には、前記端子台カバーが前記ケースに取り付けられたときに前記収容部を密閉するパッキンが設けられ、前記通信用端子装置は、リード線と金属端子を備え、前記リード線は、一方の端部が前記通信用端子に接続されると共に、前記パッキンを貫通しており、前記金属端子は、前記端子台カバーが前記ケースに取り付けられたとき、その一部が前記端子台カバーの外部に露出するように前記ケースに固定され、前記リード線の他方の端部が接続されていることを特徴とするガスメータの通信用端子装置の接続構造に存する。
【００１４】
請求項３記載の発明によれば、外部機器を接続するための通信用端子を含む端子台と、該端子台を覆うようにケースに取り付けられる端子台カバーを備えたガスメータで用いられる通信用端子装置の接続構造であって、ケースには、突設する側壁で周囲が囲まれ、端子台を収容する収容部が形成され、側壁の一部には切欠部が形成され、側壁の切欠部には、端子台カバーがケースに取り付けられたときに収容部を密閉するパッキンが設けられ、通信用端子装置は、リード線と金属端子を備え、リード線は、一方の端部が通信用端子に接続されると共に、パッキンを貫通しており、金属端子は、端子台カバーがケースに取り付けられたとき、その一部が端子台カバーの外部に露出するようにケースに固定され、リード線の他方の端部が接続されているので、端子台カバーを取り外すことなく設定器等の外部機器をガスメータと接続することができる。
【発明の効果】
【００１５】
請求項１記載の発明によれば、端子台カバーを取り外すことなく設定器等の外部機器をガスメータと接続することができる。
【００１６】
請求項２記載の発明によれば、端子台カバーを取り外すことなく設定器等の外部機器をガスメータと接続することができる。
【００１７】
請求項３記載の発明によれば、端子台カバーを取り外すことなく設定器等の外部機器をガスメータと接続することができる。
【発明を実施するための最良の形態】
【００１８】
以下、本発明の実施の形態を図面に基づいて説明する。図１から図３は、本発明の主旨を理解するのに役立つガスメータの通信用端子装置を示す図であり、図１は概略斜視図であり、図２（Ａ）、（Ｂ）、（Ｃ）および（Ｄ）は、それぞれ、正面図、平面図、底面図および右側面図であり、図３（Ａ）、（Ｂ）および（Ｃ）は、それぞれ、正面図、（Ａ）におけるＡ−Ａ線断面図および（Ａ）におけるＢ−Ｂ線断面図である。なお、図１〜図３において図１２に示す従来例と同一の構成要素は、同一符号を付して説明する。
【００１９】
通信用端子装置３０は、２本のリード線３１，３２と、リード線３１，３２の一方の端部に接続されたＹ型圧着端子３３，３４と、リード線３１，３２の他方の端部に接続されたモールド端子３５とを備えている。
【００２０】
モールド端子３５は、一方の端部がリード線３１，３２の他方の端部にたとえばハンダ３６等の接続手段で接続された棒状の金属端子３７，３８と、リード線３１，３２に接続された金属端子３７，３８の一方の端部を内蔵しかつ金属端子３７，３８の他方の端部を露出するように樹脂で成形されたモールド部３９とを有する。
【００２１】
モールド部３９は、たとえばＡＢＳ樹脂からなり、金属端子３７，３８を内蔵する箱状のモールド部本体３９ａと、モールド部本体３９ａと連結部３９ｂを介して連結された２個の係止片部３９ｃとが一体成形されている。連結部３９ｂは、係止片部３９ｃとモールド部本体３９ａの間に凹部３９ｄを形成する首状になっている。
【００２２】
モールド部本体３９ａには、凹部３９ａ１が形成され、連結部３９ｂには、凹部３９ａ１と連通する凹部３９ｂ１が形成されている。また、モールド部本体３９ａの凹部３９ａ１の底部には、隔壁３９ａ２が突設するように一体形成されている。また、モールド部本体３９ａの対向する側面には、それぞれ金属端子３７，３８を貫通させるための穴３９ａ３が形成されている。さらに、連結部３９ｂの側面には、リード線３１，３２を貫通させるための穴３９ｂ２が形成されている。
【００２３】
上述のモールド端子３５は、次のような工程で製作される。
（１）まず、ＡＢＳ樹脂で、箱状のモールド部本体３９ａ、連結部３９ｂおよび係止片部３９ｃを備えたモールド部３９を一体成形する。
（２）次に、リード線３１，３２の他方の端部を連結部３９ｂの穴３９ｂ２に貫通させる。
（３）次に、金属端子３７，３８の一方の端部をモールド部本体３９ａの穴３９ａ３に貫通させる。すなわち、２本の金属端子３７，３８は、それぞれ、モールド部本体３９ａの対向する側面から突出するように配置される。
（４）次に、リード線３１，３２を、それぞれハンダ３６で金属端子３７，３８に接続する。このとき、接続したリード線３１および金属端子３８と、接続したリード線３２および金属端子３７は、これらが互いに接触しないように隔壁３９ａ２で分離された状態で配置される。
（５）次に、凹部３９ａ１および３９ｂ１内に、たとえばエポキシ樹脂等からなるモールド材４０を液状で充填し、冷却して硬化させる。
（６）最後に、硬化したモールド材４０の上面に表示用シール４１を貼り付けて、モールド端子３５が完成する。
【００２４】
次に、上述の構成を有する通信用端子装置３０をガスメータに接続する接続構造について、図４から図８を参照しながら説明する。
【００２５】
まず、図４に示すように、ガスメータ１において、端子台カバー１０を取り外し、端子台４を露出した状態にする。端子台４は、下ケース３の一部に形成された収容部７に収容されている。収容部７は、突設する側壁１７，１８と、側壁１８に連続する側壁１２とで周囲が囲まれることにより形成されている。側壁１７と側壁１８間に形成される凹部８には、パッキン１９がはめ込まれている。
【００２６】
側壁１２には３箇所の切欠部１２ａが形成されている。この切欠部１２ａを塞ぐように、パッキン１４がはめ込まれている。このパッキン１４は、端子台カバー１０が下ケース３に取り付けられたときに収容部７を密閉する。
【００２７】
通信端子装置３０におけるリード線３１，３２の一方の端部は、切欠部１２ａにはめ込まれたパッキン１４を貫通し、Ｙ型圧着端子３３，３４が、それぞれ、通信用端子５，６に接続される。
【００２８】
一方、リード線３１，３２の他方の端部は、図５に示すように、側壁１２の下方で側壁１７，１８に連続して収容部７から所定間隔をおいて突設された隔壁１５に形成された複数個（たとえば、３個）の半円状の切欠部１５ａを通過するように配置される。この切欠部１５ａは、外部機器を接続するために端子台４の端子に接続したコードを、ガスメータ１の外部に配索できるように設けられているものである。このとき、リード線３１，３２の他方の端部に接続されたモールド端子３５は、その係止片部３９ｃが切欠部１５ａの近傍に位置するように置かれる。
【００２９】
そして、図６に示すように、端子台４を覆うように端子台カバー１０が配置される。端子台カバー１０には、その外周端部の一部に半円状の切欠部１０ａが複数個（たとえば、３個）形成されている。この切欠部１０ａは、隔壁１５の切欠部１５ａと整列するように位置決めされている。
【００３０】
端子台カバー１０の外周端部が下側ケース３に接したとき、モールド端子３５のモールド部３９の係止片部３９ｃは、切欠部１５ａと切欠部１０ａの間に挟まれた状態で端子台カバー１０の内部に収容される。また、モールド部３９の連結部３９ｂは、切欠部１０ａに嵌合される。さらに、モールド部３９のモールド部本体３９ａは、端子台カバー１０の外部に露出される。
【００３１】
したがって、ネジや接着剤を用いないで、モールド端子３５をガスメータ１に固定することができ、また、この固定は、特別なことをする訳でなく、従来通りに端子台カバー１０を取り付けるだけでできるので、簡易的かつ確実に行うことができる。また、モールド部３９の連結部３９ｂは、切欠部１０ａに嵌合されるので、ガタつきを抑えた上でガスメータ１に取り付けることができる。
【００３２】
そして、端子台カバー１０は、ネジ１１により下側ケース３のボス９のネジ穴９ａに締め付けられ、固定される。この状態では、係止片部３９ｃが、端子台カバー１０の内部に収容されており、その寸法も切欠部１０ａより大きいため、モールド端子３５が故意に引
っ張られても、係止片部３９ｃが端子台カバー１０の内壁に当たるので外れることはない。
【００３３】
次に、上述のようにしてガスメータ１に接続された通信用端子装置３０の使用方法について図８を参照して説明する。
【００３４】
図８に示すように、通信用端子装置３０のモールド部３９のモールド部本体３９ａは、取り付けられた端子台カバー１０の外部に露出している。したがって、モールド部本体３９ａの対向する側面から突出する２本の金属端子３７，３８も露出している。
【００３５】
そこで、これらの金属端子３７，３８に、外部機器としての設定器２０から延出したリード線２１の先端に設けられているわに口クリップ２２，２３をそれぞれ挟む。それにより、設定器２０からガスメータ１の諸機能の設定を行うための設定データを、通信用端子装置３０および通信用端子５，６を介してガスメータ１に通信することができる。
【００３６】
このように、ガスメータ１と設定器２０を接続する場合には、端子台カバー１０を下ケース３から外さないで、モールド端子３５の金属端子３７，３８部分にわに口クリップ２２，２３を接続するだけで良く、作業が簡単になる。また、このモールド端子３５を取り付けることにより、連結部３９ｂの嵌合により端子台カバー１０の切欠部１０ａを塞ぐことになり、水や虫がガスメータ１内に入るのを防止できる付帯効果も生まれる。
【００３７】
次に、図９は、本発明によるガスメータの通信用端子装置の接続構造の第１の実施形態を示す一部透視略図である。なお、図９において、上記に説明したものと同一の構成要素は、同一符号を付して説明する。
【００３８】
図９では、通信用端子装置３０は、一方の端部が通信用端子５，６に接続される２本のリード線３１，３２と、リード線３１，３２の他方の端部に接続された金属端子４２，４３とを備えている。リード線３１，３２は、パッキン１４を貫通すると共に、隔壁１５の切欠部１５ａの少なくとも２つを通過した後最初に通過した切欠部１５ａから、端子台カバー１０が下ケース３に取り付けられたときに端子台カバー１０の切欠部１０ａを通して外部に引き出されている。したがって、金属端子４２，４３が、端子台カバー１０の外部に露出されている。
【００３９】
このような接続構造によれば、２つの金属端子４２，４３が露出しているので、これらの金属端子４２，４３に、図示していない設定器２０から延出したリード線２１の先端に設けられているわに口クリップ２２，２３をそれぞれ挟むことにより、設定器２０からガスメータ１の諸機能の設定を行うための設定データを、通信用端子装置３０および通信用端子５，６を介してガスメータ１に通信することができる。
【００４０】
このように、ガスメータ１と設定器２０を接続する場合には、端子台カバー１０を下ケース３から外さないで、金属端子４２，４３部分にわに口クリップ２２，２３を接続するだけで良く、作業が簡単になる。また、リード線３１，３２は、切欠部１０ａの少なくとも２つを通過しているので、外部から引っ張っても容易に引き出されることはない。
【００４１】
次に、図１０は、本発明によるガスメータの通信用端子装置の接続構造の第２の実施形態を示す一部透視略図である。なお、図１０において、上記に説明したものと同一の構成要素は、同一符号を付して説明する。
【００４２】
図１０では、通信用端子装置３０は、一方の端部が通信用端子５，６に接続される２本のリード線３１，３２と、リード線３１，３２の他方の端部に接続されたコネクタ４４と
を備えている。リード線３１，３２は、パッキン１４を貫通すると共に、隔壁１５の切欠部１５ａの少なくとも２つを通過した後最初に通過した切欠部１５ａから、端子台カバー１０が下ケース３に取り付けられたときに端子台カバー１０の切欠部１０ａを通して外部に引き出されている。したがって、コネクタ４４が、端子台カバー１０の外部に露出されている。
【００４３】
このような接続構造によれば、コネクタ４４が露出しているので、図示しないが、このコネクタ４４に接続するコネクタを設定器２０から延出したリード線２１の先端に設け、コネクタ同士の結合により、設定器２０からガスメータ１の諸機能の設定を行うための設定データを、通信用端子装置３０および通信用端子５，６を介してガスメータ１に通信することができる。なお、コネクタ４４にキャップ（図示しない）を付け、ほこり、砂、ゴミの侵入、付着や防水を図っても良い。
【００４４】
このように、ガスメータ１と設定器２０を接続する場合には、端子台カバー１０を下ケース３から外さないで、コネクタ４４に設定器２０から延出したリード線２１の先端に設けられたコネクタを接続するだけで良く、作業が簡単になる。
【００４５】
次に、図１１は、本発明によるガスメータの通信用端子装置の接続構造の第３の実施形態を示す一部透視略図である。なお、図１１において、上記に説明したものと同一の構成要素は、同一符号を付して説明する。
【００４６】
図１１では、通信用端子装置３０は、一方の端部が通信用端子５，６に接続される２本のリード線３１，３２と、リード線３１，３２の他方の端部に接続された金属端子４５，４６とを備えている。
【００４７】
リード線３１，３２は、パッキン１４を貫通すると共に、隔壁１５の切欠部１５ａの少なくとも２つを通過した後最初に通過した切欠部１５ａから引き出され、他方の端部が、それぞれ金属端子４５，４６に接続されている。
【００４８】
金属端子４５，４６は、下ケース３にネジや接着剤等の固定手段により固定されており、端子台カバー１０が下ケース３に取り付けられたとき、その一部が端子台カバー１０の外部に露出するように配置されている。
【００４９】
このような接続構造によれば、２つの金属端子４５，４６が露出しているので、これらの金属端子４５，４６に、図示していない設定器２０から延出したリード線２１の先端に設けられているわに口クリップ２２，２３をそれぞれ挟むことにより、設定器２０からガスメータ１の諸機能の設定を行うための設定データを、通信用端子装置３０および通信用端子５，６を介してガスメータ１に通信することができる。
【００５０】
このように、ガスメータ１と設定器２０を接続する場合には、端子台カバー１０を下ケース３から外さないで、金属端子４５，４６部分にわに口クリップ２２，２３を接続するだけで良く、作業が簡単になる。
【００５１】
以上の通り、本発明の実施の形態について説明したが、本発明はこれに限らず、種々の変形、応用が可能である。
【００５２】
たとえば、上述の実施の形態では、ガスメータ１の端子台４の通信用端子５，６と通信用端子装置３０を、外部機器としての設定器２０との接続のために使用しているが、本発明は、これに限らず、たとえば管理センターへの自動通報用コントローラ等の他の外部機器との接続のために使用することもできる。
【図面の簡単な説明】
【００５３】
【図１】本発明の主旨を理解するのに役立つガスメータの通信用端子装置を示す概略斜視図である。
【図２】（Ａ）、（Ｂ）、（Ｃ）および（Ｄ）は、それぞれ、通信用端子装置の正面図、平面図、底面図および右側面図である。
【図３】（Ａ）、（Ｂ）および（Ｃ）は、それぞれ、通信用端子装置の正面図、（Ａ）におけるＡ−Ａ線断面図および（Ａ）におけるＢ−Ｂ線断面図である。
【図４】ガスメータの通信用端子装置の接続構造を説明する概略斜視図である。
【図５】ガスメータの通信用端子装置の接続構造を説明する概略斜視図である。
【図６】ガスメータの通信用端子装置の接続構造を説明する概略斜視図である。
【図７】図６におけるＣ−Ｃ線断面図である。
【図８】ガスメータに接続された通信用端子装置の使用方法を説明する概略斜視図である。
【図９】本発明に係るガスメータの通信用端子装置の接続構造の第１の実施形態を示す一部透視略図である。
【図１０】本発明に係るガスメータの通信用端子装置の接続構造の第２の実施形態を示す一部透視略図である。
【図１１】本発明に係るガスメータの通信用端子装置の接続構造の第３の実施形態を示す一部透視略図である。
【図１２】従来のガスメータにおける設定器の接続方法の一例を説明する概略斜視図である。
【符号の説明】
【００５４】
１      ガスメータ
２      上ケース
３      下ケース
４      端子台
５      通信用端子
６      通信用端子
７      収容部
１０    端子台カバー
１０ａ  切欠部
１２    側壁
１２ａ  切欠部
１４    パッキン
１５    隔壁
１５ａ  切欠部
１７    側壁
１８    側壁
２０    設定器
３０    通信用端子装置
３１    リード線
３２    リード線
３５    モールド端子
３７    金属端子
３８    金属端子
３９    モールド部
３９ａ  モールド部本体
３９ｂ  連結部
３９ｃ  係止片部
４０    モールド材
４２    金属端子
４３    金属端子
４４    コネクタ
４５    金属端子
４６    金属端子
【図１】
2008249740.tif 000003
【図２】
2008249740.tif 000004
【図３】
2008249740.tif 000005
【図４】
2008249740.tif 000006
【図５】
2008249740.tif 000007
【図６】
2008249740.tif 000008
【図７】
2008249740.tif 000009
【図８】
2008249740.tif 000010
【図９】
2008249740.tif 000011
【図１０】
2008249740.tif 000012
【図１１】
2008249740.tif 000013
【図１２】
2008249740.tif 000014